(57)【要約】【課題】一組のハウジング間のシール部材のシール性を向上できるとともに、確実にハウジングを互いに装着して保持できる防水コネクタを提供する。【解決手段】アウターハウジング３とインナーハウジング２との少なくともどちらか一方に、装着方向Ａ１に沿って延設された可撓性を有する柱状体からなり、先端に係止部２３を具備するロックアーム２１と、アウターハウジング３とインナーハウジング２との他方に係止部２３と係合可能に形成された係合部３１と、アウターハウジング３とインナーハウジング２との間に挟持されるシール部材４とを備えた防水コネクタ１の係止部２３を、ロックアーム２１の柱状体部分の外周に形成される凹形状部とする。【選択図】図１
2012069473.tif 000002
【特許請求の範囲】
【請求項１】
アウターハウジングとインナーハウジングとの少なくともどちらか一方に、装着方向に沿って延設された可撓性を有する柱状体からなり、先端に係止部を具備するロックアームと、
該アウターハウジングと該インナーハウジングとの他方に係止部と係合可能に形成された係合部と、
該アウターハウジングと該インナーハウジングとの間に挟持されるシール部材とを備えた防水コネクタにおいて、
前記係止部が、前記ロックアームの柱状体部分の外周に形成される凹形状部からなることを特徴とする防水コネクタ。
【請求項２】
請求項１記載の防水コネクタであって、
前記ロックアームの柱状体部分が、略円柱状に形成されたことを特徴とする防水コネクタ。
【発明の詳細な説明】
【技術分野】
【０００１】
本発明は、ハウジング内への浸水を防止するシール部材を備えた防水コネクタに関する。
【背景技術】
【０００２】
従来、防水コネクタとして、特許文献１に記載されているものが提案されている。この防水コネクタ１００は、図５に示すように、コネクタハウジング１０１とリアホルダ１０２との間にシール部材１０３を挟み、リアホルダ１０２に、シール部材１０３の貫通孔１０４にそれぞれ挿通されてコネクタハウジング１０１に係止される一対のロックアーム１０５が一体に形成されるとともに、シール部材１０３に、電線（図示せず）の外周に密着して電線とコネクタハウジング１０１間をシールする電線シール部１０６と、相手コネクタハウジングに嵌合した際に、両コネクタハウジング間をシールするコネクタシール部１０７とが一体に形成されている。
【０００３】
上記構成では、コネクタハウジング１０１とリアホルダ１０２との間にシール部材１０３を挟んだ状態で、コネクタハウジング１０１にリアホルダ１０２を装着する際に、リアホルダ１０２の一対のロックアーム１０５がシール部材１０３の貫通孔１０４にそれぞれ挿通されてコネクタハウジング１０１に係止される。
【先行技術文献】
【特許文献】
【０００４】
【特許文献１】特開２００１−１１０５０４号公報
【発明の概要】
【発明が解決しようとする課題】
【０００５】
ところで、前述した従来の防水コネクタ１００では、リアホルダ１０２のロックアーム１０５の構造上、上下方向に重ね合わせた一対の金型によってロックアーム１０５を成形する必要があるため、ロックアーム１０５に上記一対の金型の合せ面による凸状の合せ部が形成され、電線シール部１０６のシールエリアに段差が生じる結果、シール性が低下するという問題があった。
【０００６】
本発明は、上記事情を考慮し、一組のハウジングの間に介設されるシール部材のシール性の向上を図ることができるとともに、確実に一組のハウジングを互いに装着した状態で保持することができる防水コネクタを提供することを目的とする。
【課題を解決するための手段】
【０００７】
請求項１の発明は、アウターハウジングとインナーハウジングとの少なくともどちらか一方に、装着方向に沿って延設された可撓性を有する柱状体からなり、先端に係止部を具備するロックアームと、該アウターハウジングと該インナーハウジングとの他方に係止部と係合可能に形成された係合部と、該アウターハウジングと該インナーハウジングとの間に挟持されるシール部材とを備えた防水コネクタにおいて、前記係止部が、前記ロックアームの柱状体部分の外周に形成される凹形状部からなることを特徴とする。
【０００８】
請求項２の発明は、請求項１記載の防水コネクタであって、前記ロックアームの柱状体部分が、略円柱状に形成されたことを特徴とする。
【発明の効果】
【０００９】
請求項１の発明によれば、アウターハウジングとインナーハウジングの間にシール部材を挟んだ状態で、ハウジングの一方にハウジングの他方を装着する際に、ハウジングの一方に一体に形成されるロックアームをシール部材にそれぞれ挿通してハウジングに係止させる。これにより、確実にアウターハウジングとインナーハウジングを互いに装着した状態で保持することができる。また、前記ロックアームはハウジングの装着方向へ延びる柱状体から構成され、しかもロックアームの係止部が柱状体の外周より内側に窪み、すなわち、係止部が柱状体の外周から突出していないので、射出成形でロックアームを形成する際に、柱状体部分の金型をハウジングの装着方向に沿って抜くことができる。したがって、従来のように一対の金型を上下方向に重ね合わせてロックアームを成形する場合に対して、本願発明のロックアームには、装着方向に沿って筋状のバリが形成されないため、柱状体部分とシール部材との間の密着度が改善され、シール部材のシール性向上を図ることができる。
【００１０】
また、請求項２の発明によれば、請求項１の発明の効果に加えて、ロックアームが円柱状に形成されたことにより、装着方向に沿った凸条が形成されないため、柱状体部分とシール部材との間の密着度がさらに改善され、ロックアーム周囲のシール性を一層向上させることができる。
【図面の簡単な説明】
【００１１】
【図１】本発明の一実施形態を示し、防水コネクタの説明図である。
【図２】本発明の一実施形態を示し、インナーハウジングの斜視図である。
【図３】本発明の一実施形態を示し、ロックアームを成形する工程を説明する図である。
【図４】本発明の一実施形態を示し、ロックアームを成形する金型の斜視図である。
【図５】従来の防水コネクタを示す分解斜視図である。
【発明を実施するための形態】
【００１２】
以下、本発明の実施形態を図面を参照して説明する。
【００１３】
図１〜図４は本発明の一実施形態を示し、図１は防水コネクタの説明図、図２はインナーハウジングの斜視図、図３はロックアームを成形する工程を説明する図、図４はロックアームを成形する金型の斜視図である。
【００１４】
本実施形態の防水コネクタ１は、インナーハウジング２と、このインナーハウジング２を収容するアウターハウジング３と、これらのインナーハウジング２およびアウターハウジング３の間に挟まれるシール部材４とを有している。
【００１５】
インナーハウジング２は、端子金具（図示せず）をそれぞれ収容する多数の端子収容室（図示せず）を有し、これらの端子収容室は、例えば上下方向に６段積層され、横方向に１０個並列して設けられている。インナーハウジング２の前端には、各端子収容室と連通し、相手側の雄型端子が挿入される端子挿入口（図示せず）が設けられている。インナーハウジング２の後端には、各端子収容室と連通し、電線（図示せず）が挿入される電線挿入口２０と、円柱状に形成される計４本のロックアーム２１とが設けられている。
【００１６】
ロックアーム２１は、図２に示されるように、インナーハウジング２の左右両端近傍に２本づつ、計４本設けられ、基端２１ａがインナーハウジング２の後端に、可撓性を有する柱状体が片持ち支持され、アウターハウジング３の装着方向（図３の矢印Ａ１で示す方向）に沿って延設されている。ロックアーム２１の先端２１ｂには、装着方向Ａ１に対して斜めに設定されたテーパー部２２が形成され、ロックアーム２１の外周の先端近傍には、アウターハウジング３の装着方向Ａ１と直交する方向（図３の矢印Ａ２で示す方向）へ窪む凹形状部からなる係止部２３が設けられている。各係止部２３は、アウターハウジング３の挿通孔３０内周の係合部３１に係止可能である。
【００１７】
計４本のロックアーム２１のうち、図の上側２本のテーパー部２２および係止部２３は、それぞれ上向きに配置され、一方、図の下側２本のテーパー部２２および係止部２３は、それぞれ下向きに配置されている。
【００１８】
シール部材４は、電線の貫通部分をシールするマット状の電線シール部４０と、インナーハウジング２とアウターハウジング３の嵌合部分をシールするコネクタシール部４１とを一体に有するものであり、電線シール部４０には、インナーハウジング２の電線挿入口２０に挿入される電線が挿通される電線挿通孔（図示せず）が複数形成されている。また、アウターハウジング３にも電線が挿通される電線挿通孔が複数形成されている。また、シール部材４の該当する４個所には、ロックアーム２１が挿通され、ロックアーム２１の外周に密着するアーム孔４２が形成されている。
【００１９】
上記構成において、ロックアーム２１を成形する金型は、図４に示すように、ロックアーム２１の外形を成形する主金型５と、係止部２３を成形する補助金型６とで構成されている。主金型５は、円柱状の柱状体部分を成形するために円形の長穴が形成されるとともに、側面に装着方向Ａ１に直交する方向Ａ２に沿って補助金型６が挿脱可能に開口する補助孔５１を備えている。補助金型６は、主金型５の補助孔５１に挿入され、主金型５内に突出して、係止部２３を成形する。
【００２０】
ロックアーム２１を成形するには、まず、主金型５と補助金型６とを組み合わせた状態で、金型５，６内に材料を射出する。次に、材料が冷えて固まったところで、補助金型６を直交する方向Ａ２に沿って抜くとともに、主金型５を装着方向Ａ１に沿って抜くことでロックアーム２１が完成する。
【００２１】
上記のようにしてロックアーム２１をインナーハウジング２と一体に形成した後、アウターハウジング３との間にシール部材４を挟んだ状態で、ロックアーム２１をシール部材４にそれぞれ挿通し、インナーハウジング２とアウターハウジング３とでシール部材４を圧縮しつつ、係止部２３を撓み変形させて、アウターハウジング３の挿通孔３０内周の係合部３１に係止させ、インナーハウジング２をアウターハウジング３内に装着する。
【００２２】
以上のように、本実施形態の防水コネクタ１によれば、インナーハウジング２に一体に形成されるロックアーム２１をシール部材４のアーム孔４２にそれぞれ挿通しつつ、アウターハウジング３に係止させるので、確実にインナーハウジング２とアウターハウジング３を互いに装着した状態で保持することができる。また、ロックアーム２１はハウジング２，３の装着方向Ａ１へ延びる柱状体から構成され、しかも係止部２３が柱状体の外周より内側に窪み、すなわち、係止部２３が柱状体の外周から突出していないので、金型でロックアームを成形した後、柱状体部分の金型を一方向に抜くことができる。したがって、従来のように装着方向に沿った合わせ面を持つ一対の金型を重ね合わせてロックアームを成形する場合に対して、本願の構成では、ロックアーム２１に装着方向に沿って筋状のバリが形成されないため、柱状体部分とシール部材４との間の密着度が改善され、シール部材４のシール性向上を図ることができる。
【００２３】
また、上記構成によれば、ロックアーム２１が円柱状に形成されたことにより、装着方向Ａ１に沿った凸条が形成されないため、柱状体部分とシール部材４との間の密着度がさらに改善され、ロックアーム２１周囲のシール性を一層向上させることができる。
【００２４】
なお、上記実施形態にあっては、インナーハウジング２に、シール部材４に挿通されてアウターハウジング３に係止されるロックアーム２１を設けた場合を例示したが、本発明はこれに限らず、アウターハウジングに、シール部材に挿通されてインナーハウジングに係止されるロックアームを設けることもできる。
【符号の説明】
【００２５】
１…防水コネクタ
２…インナーハウジング
３…アウターハウジング
４…シール部材
２１…ロックアーム
２３…係止部
３１…係合部
Ａ１…装着方向
Ａ２…装着方向に直交する方向
【図１】
2012069473.tif 000003
【図２】
2012069473.tif 000004
【図３】
2012069473.tif 000005
【図４】
2012069473.tif 000006
【図５】
2012069473.tif 000007